(57)【特許請求の範囲】
【請求項１】
内視鏡に関連あるいは医療用の複数の機器を集中制御する医療システムにおいて、
前記複数の機器に対する制御内容を入力する入力手段と、
前記入力手段により入力された制御内容に応じて前記複数の機器を制御しかつ集中管理をする制御手段と、
前記制御手段の制御の基で、前記制御内容を記憶する記憶手段と、
前記制御手段と接続され、かつ前記複数の機器の各制御可否を検知する制御可否検知手段と、
前記制御可否検知手段の検知結果に応じて、前記制御可否を報知する制御可否報知手段とを有し、
前記入力手段は、表示手段と操作入力手段とが組合わされたタッチパネルであり、前記制御手段の制御の基で、所定制御内容を有するアイコンまたは所定範囲を前記タッチパネルの表示手段に表示するように構成されており、
前記制御可否報知手段は、前記制御可否検知手段によって制御不可能と検知された機器に対して前記入力手段による制御内容の入力がなされたときに、該当する機器が制御不可能である旨の表示を前記表示手段において行うように構成されたことを特徴とする医療システム。
【請求項２】
前記制御可否報知手段は、操作者による確認の入力操作があるまで前記制御不可能である旨の表示が表示され続けるように構成されたことを特徴とする請求項１に記載の医療システム。
【発明の詳細な説明】
【０００１】
【産業上の利用分野】
本発明は、内視鏡とこの内視鏡に関連した各種機器等を集中制御する医療システムの改良に関する。
【０００２】
【従来の技術】
医療用分野において、内視鏡を用いて診断あるいは治療処置を行う場合、必要となる内視鏡や、光源装置等をラック等にまとめて医療システムを構成したり、これらの装置を搭載したラックを組み合わせるなどして、診断等を行うことが一般的である。
【０００３】
また、本出願人は、特開平３−２８４２３０号公報において、複数の装置を１つの筐体内に収納し、これら複数の装置を集中制御する集中制御部と、複数の装置を集中的に操作する集中操作部とを備えた内視鏡システムを提案している。
【０００４】
このような内視鏡システムは、内視鏡を介して被検体へ照明光を供給するための光源装置、内視鏡からの画像信号を処理する映像信号処理装置（ビデオプロセッサあるいはビデオシステムセンタ）、内視鏡からの光学像を撮影する自動撮影装置、被検部位を焼灼して治療を行う焼灼装置（ヒートプローブ装置）、被検部位を切除する電気メス装置等、多様な装置があり、これらの周辺装置を目的に合わせて組み合わせて構成されている。
【０００５】
そして、前記周辺装置を集中操作するための集中操作部として、各操作用のスイッチを表示する液晶ディスプレイ等の操作画面表示部、及び操作画面表示部上に配設されたタッチパネル等の入力検出部が設けられている。前記操作画面表示部には、例えば図１３に示すような操作画面が表示され、操作画面上の目的の操作スイッチを押す（あるいは触れる）と、タッチパネル上の押された位置が検出されて集中制御部へ操作指令が入力され、集中制御部により該当する装置の制御が行われるようになっている。
【０００６】
このように構成することにより、内視鏡による診断や治療処置の際に各周辺装置を集中的に操作、制御することができ、また各装置の動作状態を確認できるため、各装置の操作時における操作者の負担を軽減でき、操作性を向上できる。また、使用する装置が異なる場合においても、目的に応じて装置を組み合わせて内視鏡システムを構成でき、システムの構成に応じて各周辺装置を集中制御することができる。
【０００７】
【発明が解決しようとする課題】
前述した従来例の内視鏡システムは、ディスプレイ（操作画像表示部）上にタッチパネル等の入力検出部が設けられたいわゆる集中操作パネルにより、指示が集中制御部に送られ、ラック等に内蔵された装置を集中的に制御している。
【０００８】
このような内視鏡システムにおいて、そのシステムを制御するＳＷは集中制御部により描かれたアイコンをＳＷ（スイッチ）として用いており、前記集中操作パネルには複数のＳＷ（スイッチ）が設定されている。しかしながら、種々の事情により例えば、集中制御部の設定あるいは使用が禁止されていたり等の事情により、前記ＳＷ群の一部が実際には動作不可の状態になっている場合がある。
【０００９】
しかしながら、使用者にとっては複数のＳＷうちいずれが使用できないＳＷであるかは、判別ができないので、その動作不可のＳＷも使用できるように誤解し易かった。特に、医療現場では、患者の様子や衛生等、注意を払うべきことは沢山あり、ＳＷが使用不可か否かにまで気を配る余裕もない場合が多く、たびたび不快な思いをしなければならなこともあった。
【００１０】
これを解消する方法として、使用できないＳＷを消去（表示しない）方法が考えられるが、そうした場合には今度は、装置全体としてどのような機能が準備されているのか、つまり何の機能が本来使えるのかがそもそもわからなくなってしまうことがあり、やはり使いづらかった。
【００１１】
さらに、内視鏡システムにおいて、制御する機能別に一枚一枚のＳＷ用画面が複数枚、階層的に設けられている構成のものがあるが、機能もしくは、安全上等の理由により表示はしても機能させない画面もあり、その画面が、今機能しているのかしていないのかわからなかった。
【００１２】
本発明は前記事情にかんがみてなされたもので、複数の機器を制御するための入力手段においてその制御内容と関連する機器の動作可否が区別できる医療システムを提供することを目的としている。
【００１３】
【課題を解決するための手段】
本発明による第１の医療システムは、内視鏡に関連あるいは医療用の複数の機器を集中制御する医療システムにおいて、前記複数の機器に対する制御内容を入力する入力手段と、前記入力手段により入力された制御内容に応じて前記複数の機器を制御しかつ集中管理をする制御手段と、前記制御手段の制御の基で、前記制御内容を記憶する記憶手段と、前記制御手段と接続され、かつ前記複数の機器の各制御可否を検知する制御可否検知手段と、前記制御可否検知手段の検知結果に応じて、前記制御可否を報知する制御可否報知手段とを有し、前記入力手段は、表示手段と操作入力手段とが組合わされたタッチパネルであり、前記制御手段の制御の基で、所定制御内容を有するアイコンまたは所定範囲を前記タッチパネルの表示手段に表示するように構成されており、前記制御可否報知手段は、前記制御可否検知手段によって制御不可能と検知された機器に対して前記入力手段による制御内容の入力がなされたときに、該当する機器が制御不可能である旨の表示を前記表示手段において行うように構成されたことを特徴とする。
また、本発明による第２の医療システムは、前記第１の医療システムにおいて、前記制御可否報知手段は、操作者による確認の入力操作があるまで前記制御不可能である旨の表示が表示され続けるように構成されたことを特徴とする。
【００１５】
【実施例】
図を参照して本発明の実施例について、以下に説明する。
まず、本発明の実施例の説明に先立って、本発明の参考となる例について説明する。
図１ないし図７は本発明における参考例に係り、図１は医療システムの全体的な構成図、図２は使用できないスイッチを含む操作画面の説明図、図３は図２と異なる表示形態の操作画面の説明図、図４は画面切換スイッチの説明図、図５はサブ画面切り替りの説明図、図６は操作スイッチのレイアウトに関する説明図、図７は警報の音声設定等の説明図である。
【００１６】
図１に示す医療システム３０は、後述する各種制御を行う制御部１と、前記制御部１からの制御コマンドにより各種制御がなされかつ内視鏡検査や処置等に必要で内蔵または外部に設けられた各種機器からなる複数の機能ブロックを有する被制御部２と、制御部１の制御の基で前記被制御部２の各機能ブロックを制御するコマンドを入力するための入力手段兼表示手段としてのタッチパネル３と、被制御部２に接続されかつ撮像手段を内蔵した電子内視鏡１１とを有している。この内視鏡１１は、光学式ファイバ内視鏡に外付カメラを設けた構成のものでもよい。
【００１７】
前記制御部１は、制御の集中管理を行う制御手段兼制御可否検知手段としてのＣＰＵ４と、各種データが格納される例えばハードディスクとＲＡＭからなる記憶部５と、ＣＰＵ４の指示により記憶部５から読み出した情報をタッチパネル３に表示する画面情報のインターフェースとなる表示Ｉ／Ｆ６と、タッチパネル３と制御部１間の入出力情報のポートとなる第１のＩ／Ｏ（入力／出力ポート）７と、タッチパネル３やＣＰＵ４等と被制御部２との間で情報のやりとりをするためのポートである通信ポート８と、タッチパネル３やＣＰＵ４等と被制御部２の電源関係の制御を含む所定機能ブロックの機器とを結ぶ第２のＩ／Ｏ９とを有している。
【００１８】
なお、制御部１は、ＣＰＵ４、記憶部５、表示Ｉ／Ｆ６、第１のＩ／Ｏ７、通信ポート８及び第２のＩ／Ｏ９との間が、バスライン１０で接続されている。
【００１９】
前記タッチパネル３は液晶ディスプレイの表面に透明マトリクススイッチを配置したものであり、そのスイッチの情報は第１のＩ／Ｏ７を介して、ＣＰＵ４が取り込むようになっている。
【００２０】
この制御部１は、被制御部２の各機能ブロックをタッチパネル３からの入力に従い制御しており、電源立上がりと同時にＣＰＵ４は記憶部５（ハードディスク）からタッチパネル３に表示する画面情報を読み出し、表示Ｉ／Ｆ６を介してタッチパネル３に表示するようになっている。
【００２１】
前記被制御部２は、前記内視鏡１１の撮像手段を駆動し得た電気信号を標準的な映像信号に変換処理するビデオプロセッサ１２と、内視鏡１１に照明光を供給する光源部１３と、内視鏡１１の吸引管路を介して吸引動作を行うための吸引ポンプ１４とを有している。
【００２２】
また、被制御部２は、経内視鏡的に被検部の切除や止血処置をする電気メス１５と、焼灼処置をするヒートプローブ１６と、検査時等に患者のＩＤカードを用いて患者の個人データを読込む磁気カードリーダ１７と、血中の酸素飽和度を測定するパルスオキシメータ１８と、血圧計１９と、画素情報またはそれ以外の他の情報を記録するＶＴＲ２０と、図示しないビデオプリンタ等とを有し、これらの機器は、通信ポート８を介して制御部１と接続されている。すなわち、これらの機器は、タッチパネル３からの入力指示に対応した機器がＣＰＵ４の管理下で制御されるようになっている。
【００２３】
さらに、被制御部２は、内視鏡１１の送水管路を介して体内に送水をするための図示しない送水タンクを含む送水ポンプ２１と、音声発生部２２と、べット２３等を有しており、これらの機器とは、第２のＩ／Ｏ９を介してタッチパネル３からの入力指示に対応した機器がＣＰＵ４の管理下で制御されるようになっている。
【００２４】
さらにまた、被制御部２は、ビデオプロセッサ１２、光源部１３、吸引ポンプ１４、電気メス１５、ヒートプローブ１６及びベッド２３に供給する電源の０Ｎ／ＯＦＦを各制御する６つの電源制御部２４〜２９を有しており、これらの電源制御部２４〜２９は、第２のＩ／Ｏ９を介してタッチパネル３からの入力指示に対応した制御部がＣＰＵ４の管理下で制御されるようになっている。
【００２５】
前記構成で、ＣＰＵ４は記憶部５からタッチパネル３に表示する画面情報を読み出し、表示Ｉ／Ｆ６を介してタッチパネル３に表示する。液晶ディスプレイの表面に配置されたタッチパネル３の透明マトリクススイッチをタッチして情報が入力される。タッチされたスイッチの入力情報は第１のＩ／Ｏ７を介してＣＰＵ４が取り込む。ＣＰＵ４は第１のＩ／Ｏ７を介して取り込んだ入力情報を現在、表示Ｉ／Ｆ６を介して表示している画面情報との対比により制御内容を決定し、通信ポート８あるい第２のＩ／Ｏ９を介して被制御部２の前記決定に対応する機器を制御する。
【００２６】
図２にタッチパネル３に表示した操作画面の例を示す。
【００２７】
例えば、図２示す“フリーズ”はビデオプロセッサ１２の出力を静止画にするモードであり、“レリーズ”はビデオプロセッサ１２の出力を静止画にしてＶＴＲ２０等に記録するモードであり、符号５０の“プリント”は、前記ビデオプリンタに記録画像を出力して印刷させるモードである。
【００２８】
ＣＰＵ４は、定期的に通信ポート８を介して接続している被制御部２の各機器と通信をしており、接続が切り離される等で通信ができなくなった機器を検出している。そのような機器を検出した場合、制御可否報知手段としてのタッチパネル３において前記機器を操作する該当スイッチを横線で網掛状にして、操作できないことを表示する。図２はその状態を示している。
【００２９】
例えば前記ビデオプリンタの電源が切られた場合、通信ポート８を介して検知して、ＣＰＵ４は表示Ｉ／Ｆ６を介してビデオプリンタのプリントスイッチ５０に横線で網掛表示をする。
【００３０】
なお、この表示の方法は、横線で網掛する以外に、多数のドット等の他の網掛あるいは“禁止”または“停止”の文字を赤等の目立つ色彩でオーバーライトするようにしてもよい。あるいは、以下に示す変形例のように表示してもよい。
【００３１】
これらの表示には、対応するスイッチのアイコンのうち、“プリント”等の機能を示す文字については、それが読めるように網掛等を表示した方が望ましく、本システムが有する機能が何であるかを認識できる。
【００３２】
図３に示す変形例では、同様に使用できなくなったスイッチを×印で示したものである。
【００３３】
図４には、タッチパネル３に表示される複数の操作画面のうち、電子内視鏡１１の映像信号に関連した処理の制御をするためのメイン操作画面４０を示す。この画面は、各画面左部の“ＥＶＩＳ”をクリックすることにより選択できる。
【００３４】
なお、複数の操作画面は階層的に構成されている。また、図中、右下部の“ＨＥＬＰ”は、操作の方法が分らない場合の救援のためのアイコンである。
【００３５】
このメイン操作画面４０の画面切換スイッチ５２をタッチすることにより、メイン操作画面中の一部分をさらに細かく操作するために設けられた１階層下の図５に示すサブ操作画面４１に画面が切りかわる。この時、操作画面切換スイッチ５２内には、「ものを指し示す指」の図形が表示され、その指の向きを下位の階層であるサブ操作画面に切換わることができる場合には下向きのものが示される。一方、上位の階層例えばメイン操作画面に切り替ることができる場合には、画面切換スイッチ５３は指が上向きの図形を表示する。この様な構成をとることにより、上位，下位いずれの階層が選択できるか一目で認識でき、わかり易い。
【００３６】
また、図６には、他の操作画面を示す。
図５の操作画面４２のスイッチレイアウト領域５５にすべての操作スイッチがレイアウトしきれない場合に、設けられた画面が図６の操作画面４３である。
【００３７】
このため、図５の画面４２には、ページ切換えスイッチ５４を設けてあり、それを操作することにより、図６に示す画面４３に切換えられるように構成されている。このページ切換スイッチ５４は表示図形を次のページ送りであること示すために、右向きの手を表示している。一方、図６に示す戻すスイッチ５６には、左向きの手がグラフィックスされている。以上の構成により、操作者にとって、これらのスイッチ５４，５６がどの様な機能を有するか、直感的に理解し易くなっている。
【００３８】
また、図５の画面４２中には、ページ数表示５７を示しており、総ページ数および現在表示中の画面のページ数が認識でき、操作がし易くなっている。ちなみに、図示例では、総ページが２ページで、現在が１ページ目であることを示している。
【００３９】
また、図５の光量調整スイッチ５８ａ（または５８ｂ）を押した場合、ＣＰＵ４はそれを検出して音声発生部２２を制御して、押されたことを示す音を発生させる。光量調整スイッチ５８ａ，５８ｂは、内視鏡画像の明るさを調節するスイッチであり、指標５９は、明るさの増減に応じて段階的に点灯／消灯する。
【００４０】
この指標５９が上限又は下限にきた時には、発生音を変化させることにより、上限又は下限にきたことを告知し、操作者もそのことを容易に認識できる。
【００４１】
なお、血圧計１９及びパルスオキシメータ１８は、通信ポート８を介して値を送信してくるが、ＣＰＵ４は予め操作画面より入力された値と比較することにより、アラームを音声発生部２２を制御して発生させる。また、アラーム不要の時には止めるようにも動作させることもできる。
【００４２】
図７に警告音の設定画面を含む初期設定画面４４を示す。この画面４４は、本システムの各種初期値が設定できる設定画面である。
図７の右上部に示すように、画面４４は、警告音の音量設定スイッチ６０と、音質設定スイッチ６１と、警告を音声又はビープのいずれかの音色選択スイッチ６２とを設けている。ＣＰＵ４はその操作結果を記憶部５に記憶し、それに従って制御可否報知手段としての音声発生部２２を制御する。
【００４３】
また、テストボタン６３を押すことにより、ＣＰＵ４は現在設定した音量、音質等を実際にデモンストレーションするよう音声発生部４２を制御する。従って、操作者は、自分のした設定を確認することができ、最適な音量等を選ぶことができる。
【００４４】
また、図７の初期設定画面４４には送水流量設定部６４が含まれ、この設定部６４により、送水ポンプ２１の水量をタッチパネル３から設定することができる。
【００４５】
なお、本参考例では、ＣＰＵ４が通信ポート８を介して接続している各機器と通信を行うことにより通信制御の可否を判断しているが、別の構成でも実現できる。すなわち、制御部１のＣＰＵ４が全てを制御する必要はなく、制御手段としてのＣＰＵ４に通信ポート８を介して別のＣＰＵを接続し、このＣＰＵが行ってもよい。
【００４６】
また、記憶部５もハードディスクとＲＡＭの組合わせを例示したが、ハードディスクがＰＲＯＭ等であっても、あるいは光磁気ディスクでもよい。
【００４７】
次に、本発明の実施例について図８を参照して説明する。
図８はタッチパネル３に表示した警告画面の例を示す。その他、前記参考例と同様の構成及び作用については、同じ符号を付して説明を省略すると共に、異なる点についてのみ説明する。
【００４８】
ＣＰＵ４は定期的に通信ポート８を介して接続している機器と通信をしており、接続が切り離される等で通信ができなくなった機器を検出している。そのような機器を検出した場合には、該当する機器を操作するスイッチが操作された場合には、図８に示すように、メッセージ画面６６を表示し、操作できないことを告知する。
【００４９】
図８はＶＴＲ２０が接続されていない場合の例であり、ＶＴＲスイッチ６５を押した時のメッセージである。警告の表示は、確認スイッチ６７が押されるまで表示され続けるため、操作者は内容をよく確認したうえで警告を消すことができる。
【００５０】
図９ないし図１２は本発明における他の参考例に係り、図９はヒートプローブの制御画面においてヒートプローブが使用可能な状態の表示画面を示す図、図１０はヒートプローブが使用不可の状態の表示画面を示す図、図１１はＶＴＲとＣＰＵとが通信可能になっている場合の操作画面、図１２はＣＰＵとＶＴＲとの通信ができない状態の操作画面である。
【００５１】
当該他の参考例は、表示画面全体または、表示画面内を複数分割する機能表示（設定表示あるいは動作表示）ブロック単位で使用可否を認識させる構成であり、表示画面中のスイッチ個々について使用の可否を認識させる構成である上述した参考例あるいは本発明の実施例とは異なっている。
【００５２】
その他、上述した参考例あるいは本発明の実施例と同様の構成及び作用については、同じ符号を付して説明を省略すると共に、異なる点についてのみ説明する。
【００５３】
図９に示すサブ操作画面４５は、ヒートプローブ１６の操作画面であり、ヒートプローブ１６の電源制御部２８を操作して、ヒートプローブ１６が使用可能な状態でのタッチパネル３の画面である。
【００５４】
画面４５の設定表示ブロック４７には、左側の“５，１０，１５，…，３０”と示される設定スイッチが設けられており、これらはヒートプローブ１６の熱量（joules）を設定するためのものである。また、設定表示ブロック４７の右側には、焼灼の際に送水動作を併用するか否の選択スイッチ“ｏｆｆ”と、ｏｎのときに送水量を段階的に設定するスイッチ群“Ｍｉｎ〜Ｍａｘ”が配置されている。
【００５５】
一方、図１０に示すサブ操作画面４６は、ＣＰＵ４が第２のＩ／Ｏ９を介して電源制御部２８をＯＦＦ、つまりヒートプローブ１６の電源をＯＦＦにした時のタッチパネル３の表示画面である。操作画面４６のうち、設定表示ブロック４７′は、図で斜線で示す部分を全体に色を暗くして表示することにより、電源をＯＦＦにしており、操作ができないこと認識させるようにしている。
【００５６】
なお、図の通り斜線にしたり、または網掛けしたりしてもよいし、スイッチを除いた部分を黒ベタ表示してもよい。あるいは、画面全体の色調を変化させてもよい。
【００５７】
当該他の参考例では、ＣＰＵ４が電源制御部のＯＮ／ＯＦＦに従って、該当する操作画面の表示状態を表示Ｉ／Ｆ６を介して変化させることで、操作者は操作可能な画面であるか否かを容易に認識することができる。
【００５８】
次に、別の画面における設定の様子について説明する。
図１１及び図１２にはＶＴＲ２０の操作画面を示す。図１１に示す画面４８は、ＶＴＲ２０が接続され通信ポート８を介してＣＰＵ４と通信可能になっていると場合に、タッチパネル３に表示される。
【００５９】
図１１に示す設定表示ブロック７１の再生スイッチ７２がＯＮされ、ＶＴＲ２０がＰＬＡＹされている状態であり、動作表示ブロック７３には、現在ＰＬＡＹ中である△印が表示されるので、操作者は確認が容易である。
【００６０】
一方、図１２の操作画面４９は、ＣＰＵ４が通信しようとしても接続断又はＶＴＲ２０の電源がＯＦＦ等で応答がない場合に、タッチパネル３に表示される。この画面４９においては、ＣＰＵ４が制御可否を検出して、操作画面を操作ができない場合に動作表示ブロック７３全体において色を暗くして表示している。
【００６１】
［付記］
以上詳述したように本発明の実施態様によれば、以下のような構成を得ることができる。すなわち、
（１）内視鏡に関連した複数の機器を集中制御する医療システムにおいて、
前記複数の機器に対する制御内容を入力する入力手段と、前記入力手段により入力された制御内容に応じて前記複数の機器を制御しかつ集中管理をする制御手段と、前記制御手段の制御の基で、前記制御内容を記憶する記憶手段と、前記制御手段と接続され、かつ前記複数の機器の各制御可否を検知する制御可否検知手段と、前記制御可否検知手段の検知結果に応じて、前記制御可否を報知する制御可否報知手段とを有する。
【００６２】
（２）前記制御可否報知手段は、前記制御手段の制御の基で、前記制御可否検知手段の検知結果に応じて前記制御可否を報知する付記１に記載の医療システム。
【００６３】
（３）前記制御手段、及び前記制御可否検知手段は、一体である付記１に記載の医療システム。
【００６４】
（４）前記制御可否報知手段は、前記複数の装置のうち前記入力手段の入力による前記制御内容に対応する前記機器が、前記制御可否検知手段によって制御不可能と検知された機器である場合には、音または光により報知する付記４に記載の医療システム。
【００６５】
（５）前記制御可否報知手段は、警告音を発する警告手段を有する付記４に記載の医療システム。
【００６６】
（６）前記入力手段は、表示手段と操作入力手段とが組合わされたタッチパネルであり、前記制御手段の制御の基で、所定制御内容を有するアイコンまたは所定範囲を前記タッチパネルの表示手段に表示するように構成されており、前記制御可否報知手段は前記表示手段を含む付記４に記載の医療システム。
【００６７】
（７）前記制御可否報知手段は、前記制御手段の制御の基で、前記制御可否検知手段により前記複数の装置のうち前記入力手段の入力による前記制御内容に対応する前記機器が、前記制御可否検知手段によって制御不可能と検知された機器である場合には、前記タッチパネルの表示手段に表示されかつ制御不可能と検知された機器に関連する制御内容のアイコンまたは所定範囲の表示形態または表示状態を、制御可能と検知された機器に関連する制御内容のアイコンまたは所定範囲の表示形態または表示状態と異ならせて表示する付記６に記載の医療システム。
【００６８】
付記７に記載の構成では、誤入力した時に表示形態または表示状態と異なるようにアイコン等を表示するので、非常に認識しやすくできる。
【００６９】
（８）前記制御手段は、前記アイコンまたは所定範囲の表示形態または表示状態と異ならせて表示するため必要な情報を前記記憶手段が読出す付記７に記載の医療システム。
【００７０】
（９）前記制御可否報知手段は、前記タッチパネルの表示手段に表示されかつ制御不可能と検知された機器に関連する制御内容のアイコンの表示形態を、制御可能と検知された機器に関連する制御内容のアイコンの表示形態と異ならせて表示する付記７に記載の医療システム。
【００７１】
（１０）前記制御可否報知手段は、異なる表示形態として、制御不可能と検知された機器に関連する制御内容のアイコンに網掛けをして表示する付記７に記載の医療システム。
【００７２】
（１１）前記制御可否報知手段は、異なる表示形態として、制御不可能と検知された機器に関連する制御内容のアイコンにバツ印を加えて表示する付記７に記載の医療システム。
【００７３】
（１２）前記制御可否報知手段は、前記タッチパネルの表示手段に表示される前記所定範囲は、前記制御手段の制御の基で、前記複数の機器のうち所定の機器の制御内容に関する複数のアイコンが設定されている機能表示ブロックであり、前記制御可否報知手段は、前記制御可否検知手段によって制御不可能と検知された機器が前記所定の機器である場合に、前記タッチパネルの表示手段に表示される機能ブロック範囲の表示状態を、他の機能ブロック範囲の表示状態と異ならせて表示する付記７に記載の医療システム。
【００７４】
（１３）前記制御可否報知手段は、異なる表示状態として、制御不可能と検知された所定の機器に関連する制御内容の機能表示ブロックの色度を変化させて表示する付記１２に記載の医療システム。
【００７５】
（１４）警報音を発する音声発生手段を有しており、
前記制御可否報知手段は、前記複数の装置のうち前記入力手段の入力による前記制御内容に対応する前記機器が、前前記制御可否検知手段によって制御不可能と検知された機器である場合には、前記音声発生手段で警報音を発するように制御する付記４に記載の医療システム。
【００７６】
付記１４に記載の構成では、制御不可の機器に関する制御内容の入力があった場合には、警報音を発するので操作者は直ちにそのことを認識できる。
【００７７】
【効果】
以上説明したように、本発明の医療システムによれば、複数の機器を制御するための入力手段においてその制御内容と関連する機器の制御可否を表示するため、操作しながら素早く制御可否を認識することができ、操作性を向上することができる。
【図面の簡単な説明】
【図１】図１ないし図７は本発明における参考例に係り、図１は医療システムの全体的な構成図。
【図２】図２は使用できないスイッチを含む操作画面の説明図。
【図３】図３は図２と異なる表示形態の操作画面の説明図。
【図４】図４は画面切換スイッチの説明図。
【図５】図５はサブ画面切り替りの説明図。
【図６】図６は操作スイッチのレイアウに関する説明図。
【図７】図７は警報の音声設定等の説明図。
【図８】図８は実施例に係る使用できないスイッチを含む操作画面の説明図。
【図９】図９ないし図１２は本発明の他の参考例に係り、図９はヒートプローブの制御画面においてヒートプローブが使用可能な状態の表示画面を示す図。
【図１０】図１０はヒートプローブが使用不可の状態の表示画面を示す図。
【図１１】図１１はＶＴＲとＣＰＵとが通信可能になっている場合の操作画面の図。
【図１２】図１２はＣＰＵとＶＴＲとの通信ができない状態の操作画面の図である。
【図１３】図１３は従来例に係る集中操作画面の説明図。
【符号の説明】
３０…医療システム
１…制御部
２…被制御部
３…タッチパネル
４…ＣＰＵ
５…記憶部
６…表示Ｉ／Ｆ
７…第１のＩ／Ｏ
８…通信ポート
９…第２のＩ／Ｏ
１１…内視鏡
１２…ビデオプロセッサ
１３…光源部
１５…電気メス
１６…ヒートプローブ
【図１】
0003764499.tif 000002
【図２】
0003764499.tif 000003
【図３】
0003764499.tif 000004
【図４】
0003764499.tif 000005
【図５】
0003764499.tif 000006
【図６】
0003764499.tif 000007
【図７】
0003764499.tif 000008
【図８】
0003764499.tif 000009
【図９】
0003764499.tif 000010
【図１０】
0003764499.tif 000011
【図１１】
0003764499.tif 000012
【図１２】
0003764499.tif 000013
【図１３】
0003764499.tif 000014